(57)【要約】      （修正有）【課題】鉛直軸回りに回転する囲転刃により草を刈る草刈機に追設可能な、地中の草の根も切断できる草刈機用補助刃を提供する。【解決手段】鉛直軸回りに回転する回転刃Ｔにより草を刈る草刈機Ｃに補助的に設けられる草刈機用補助刃Ｘを、平らな板体からなる中央部１０と、中央部１０外縁から下方に傾斜する板体からなる傾斜部２０と、傾斜部２０下端に設けられる刃部３０と、中央部１０に設けられる取り付け穴となる貫通孔１１とにより形成する。【選択図】図２
0003175442.tif 000002
【実用新案登録請求の範囲】
【請求項１】
鉛直軸回りに回転する回転刃により草を刈る草刈機に補助的に設けられる補助刃であって、
平らな板体からなる中央部と
中央部外縁から下方に傾斜する板体又は棒体からなる傾斜部と
傾斜部下端に設けられる刃部と
中央部に設けられる取り付け穴となる貫通孔と
を有する草刈機用補助刃。
【請求項２】
前記中央部は長方形状であり、前記傾斜部は前記中央部の相対する１組の辺を前記外縁として設けられ、前記刃部は当該外縁に平行に形成されるものである
請求項１に記載の草刈機用補助刃。
【請求項３】
請求項１又は２に記載の草刈機用補助刃と、
前記草刈機用補助刃の上面に重ねられて一体に形成される外周に刃部を有する円板からなり、前記貫通孔に一致する位置に貫通孔が設けられた回転刃本体と
からなる草刈機用回転刃。
【考案の詳細な説明】
【技術分野】
【０００１】
本考案は鉛直軸回りに回転する刃によって草を刈る草刈機に用いられる刃に関するものである。
【背景技術】
【０００２】
手持ち式の草刈機は、先端にエンジンあるいは電動で鉛直軸に回転する刃を取り付けた長尺の柄を持ち、草に対して刃を水平に動かして草を刈るものである。草刈機は刃をある程度地面から浮かせた状態で保持する必要があるために、茎の根元からやや上しか刈り取ることができず、根元から草を刈ることは困難である。
これに対して、下記特許文献には本来の回転刃の下に重ねて草の根元を切断するための補助刃を設けることが示されている。これらの考案によれば、補助刃を地面に接触するようにすることで、草を根元から刈り取ることができる。
【先行技術文献】
【特許文献】
【０００３】
【特許文献１】特開2007-202760号公報
【特許文献２】実用新案登録3153277号公報
【特許文献３】実用新案登録3150364号公報
【考案の概要】
【考案が解決しようとする課題】
【０００４】
しかしながら、これらの考案は茎を根元から切断することはできるが、補助刃は水平に回転するので、地中の草の根を切断することは難しい。
本考案は、このような問題に鑑みて、鉛直軸回りに草刈機において、地中の草の根も切断できるようにすることを課題とする。
【課題を解決するための手段】
【０００５】
上記課題を解決するために、本考案は次のような構成を有する。
請求項１に記載の考案は、鉛直軸回りに回転する回転刃により草を刈る草刈機に補助的に設けられる草刈機用補助刃として、平らな板体からなる中央部と、中央部外縁から下方に傾斜する板体からなる傾斜部と、傾斜部下端に設けられる刃部と、中央部に設けられる取り付け穴となる貫通孔とを有するものである。
請求項２に記載の考案は、前記草刈機用補助刃において、前記中央部は長方形状であり、前記傾斜部は前記中央部の相対する１組の辺を前記外縁として設けられ、前記刃部は当該外縁に平行に形成されるものである。
請求項３に記載の考案は、請求項１又は２に記載の草刈機用補助刃と、前記草刈機用補助刃の上面に重ねられて一体に形成される外周に刃部を有する円板からなり、前記貫通孔に一致する位置に貫通孔が設けられた回転刃本体とからなる草刈機用回転刃である。
【考案の効果】
【０００６】
請求項１に記載の考案は、補助刃の先端の刃部は斜め下方に向く傾斜部の端部に設けられるので、回転刃を地面に水平に回転させた状態でも、補助刃の刃部を地面の表層内に斜めから入れることにより草の根部分を切断することができる。
請求項２に記載の考案は、全体的に長方形の両端を斜めに曲げた形状から成るので、比較的容易かつ低コストで製造することができる。
請求項３に記載の考案は、草の根を切断できる補助刃が一体に形成されており、補助刃を別途装着する手間がなく、また、補助刃が紛失してしまうことを防ぐこともできる。
【図面の簡単な説明】
【０００７】
【図１】（ａ）は実施形態に係る草刈機用補助刃の平面図であり、（ｂ）は実施形態に係る草刈機用補助刃の側面図である。
【図２】草刈機用補助刃を固定する草刈機先端近傍の拡大分解斜視図である。
【図３】補助刃を取り付けた状態の草刈機先端近傍の拡大側面図である。
【図４】（ａ）は実施形態に係る草刈機用回転刃の底面図であり、（ｂ）は実施形態に係る草刈機用回転刃の側面図である。
【考案を実施するための形態】
【０００８】
以下、本考案の実施の形態について、図面を参照しながら説明する。
図１（ａ）に本実施形態に係る草刈機用補助刃X（以下、「補助刃X」という）の平面図を示し、図１（ｂ）に補助刃Ｘの側面図を示す。補助刃Ｘは、長方形の平らな板体部分からなる中央部１０と、中央部の長辺を構成する両外縁から斜め下方に傾斜する細長い長方形状の板状部分からなる傾斜部２０と、傾斜部２０の下端を構成する縁部に沿って設けられる鋭角に形成される刃部３０とから構成される。また、中央部１０の中心には草刈機への取り付け穴となる貫通孔１１が形成されている。補助刃Ｘは板厚1.25mmの鋼板により形成され、平面視長辺の最大長さが200mm、短辺の最大長さが150ｍｍに形成されている。また、中央部１０の短辺の長さは70mmであり、傾斜部２０は中央部１０の下面を構成する平面に対して１０度の角度をもって傾斜している。
【０００９】
このような構成を有する補助刃Ｘの使用方法について以下に説明する。図２に草刈機Ｃ先端への補助刃Ｘ及び本来の回転刃Ｔの取り付け状態を表す拡大分解斜視図を示す。図に示すように、本体の回転刃Ｔの下面に補助刃Ｘを取り付け穴が一致するように重ね、草刈機Ｃの先端にワッシャーＷとボルトＳとで下方から固定する。図３に補助刃Ｘ及び本来の回転刃Ｔの取り付け状態を表す草刈機Ｃ先端の拡大側面図を示す。この状態で、草刈機Cを駆動して回転刃T及び補助刃Ｘを回転させて草刈を行う。この際、補助刃Ｘを地面に押し当てるようにすると、回転刃Ｔは草の根元近傍を切断していくとともに、斜め下方に向く補助刃Ｘが地面の表面を薄く削り、地面内に存する草の根を切断していくことができる。
なお、草の根だけの切断を目的とする場合は、回転刃Ｔを使うことなく、補助刃Ｘのみを草刈機Ｃに取り付けて使用することもできる。
【００１０】
上記実施形態では回転刃Ｔと補助刃Ｘとは分離したものを用いたが、回転刃と補助刃を最初から一体に形成してもよい。図４（ａ）に、補助刃を一体に有する回転刃Ｙの底面図を示し、図４（ｂ）に回転刃Ｙの側面図を示す。回転刃Ｙは、一般的な回転刃本体Ｔの下面側に取り付け穴が一致するように上記補助刃Ｘを重ねて溶接固定したものである。このように補助刃Xを一体に形成することで、取り付け作業が簡易になり、また、補助刃が紛失する恐れをなくすことができる。
また、上記実施形態では補助刃の形状を平面視長方形状としているが、刃部が斜め下方に突出していればよいので、例えば、中央部の回りに板状又は棒状の傾斜部が放射状に斜め下方に向くような形状を採用してもよい。
【符号の説明】
【００１１】
Ｘ  草刈機用補助刃
Ｙ  補助刃を有する草刈機用回転刃
Ｔ  回転刃
Ｃ  草刈機
１０  中央部
１１  貫通孔
２０  傾斜部
３０  刃部
【図１】
0003175442.tif 000003
【図２】
0003175442.tif 000004
【図３】
0003175442.tif 000005
【図４】
0003175442.tif 000006